(57)【要約】【課題】ボタン３の操作によりレバー２を起こすようにした開閉用ハンドル装置において、倒起バネが外れるという課題を解決する。【解決手段】ケーシング１と、倒起可能とされたレバー２と、ボタン３と、レバー２を付勢する倒起バネ５とを備え、ボタン３を操作することによって、倒起バネ５によって付勢されたレバー２を起こす。ケーシング１の底部には、前後２カ所にバネ支持部が設けられ、この２カ所に支持された倒起バネ５が弾性変形することにより、レバー２の被付勢部２４が付勢される。【選択図】          図５
2004308351.tif 000002
【特許請求の範囲】
【請求項１】
ケーシング（１）と、このケーシング（１）の上面側に後端側を中心として回動することにより倒起可能とされたレバー（２）と、同じくケーシング（１）の上面側であってレバー（２）の後端側に配位されたボタン（３）と、レバー（２）に対して起きる方向と倒れる方向との少なくとも何れか一方の方向に付勢する倒起バネ（５）とを備え、ボタン（３）の操作によりレバー（２）を起こすようにした開閉用ハンドル装置において、
レバー（２）に倒起バネ（５）による付勢を受ける被付勢部（２４）が設けられ、ケーシング（１）にバネ支持部（１ａ，１ｂ）が設けられ、
このバネ支持部（１ａ，１ｂ）は、レバー（２）の上記の被付勢部（２４）より後端側に設けられた後端側支持部（１ａ）と、レバー（２）の上記の被付勢部（２４）より前端側に設けられた前端側支持部（１ｂ）との少なくとも２カ所の支持部を備え、
後端側支持部（１ａ）と前端側支持部（１ｂ）との間に位置する倒起バネ（５）が弾性変形することにより、上記レバー（２）の被付勢部（２４）が付勢されたものであることを特徴とする開閉用ハンドル装置。
【請求項２】
倒起バネ（５）が線材により構成され、上記の被付勢部（２４）がレバー（２）の素材より硬質な素材により形成されたカバー（６）により被覆されていることを特徴とする請求項１記載の開閉用ハンドル装置。
【請求項３】
倒起バネ（５）は、２つの固定端（５１，５１）と、それぞれの固定端（５１，５１）から前後方向に伸びる変形部（５２，５２）と、変形部（５２，５２）の間を結ぶ連絡部（５３）とを備え、
後端側支持部（１ａ）と前端側支持部（１ｂ）との何れか一方（１ａ）は、上記の２つの固定端（５１，５１）がそれぞれ挿入される受容孔であることを特徴とする請求項１又は２記載の開閉用ハンドル装置。
【請求項４】
倒起バネ（５）が、固定端（５１）と、固定端（５１）から前後方向に伸びる変形部（５２）と、変形部（５２）の他端側に設けられた自由端（５３）とを備え、後端側支持部（１ａ）と前端側支持部（１ｂ）との何れか一方（１ａ）は、上記の固定端（５１）を前後に移動不能に固定するものであり、何れか他方（１ｂ）は、上記自由端（５３）を摺動可能に支持するものであることを特徴とする請求項１又は２記載の開閉用ハンドル装置。
【発明の詳細な説明】
【０００１】
【発明の属する技術分野】
本願発明は、配電盤収納ボックス等の扉に取り付けられて使用される開閉用ハンドル装置の改良に関するものである。
【０００２】
【従来の技術】
従来から、配電盤収納ボックス等の扉に取り付けられて使用される開閉用ハンドル装置が知られている。この従来の扉開閉用ハンドル装置としては、特許文献１にも示されているように、例えば図１０（Ａ）（Ｂ）及び図１１（Ａ）（Ｂ）に示すようなものがある。
【０００３】
この扉開閉用ハンドル装置は、配電盤収納ボックス等の扉に支持されるケーシングａと、レバーｂと、レバーｂを操作する押圧部ｃ１を有するボタンｃとを備え、ケーシングａの上面側に、レバーｂを収納するレバー収納凹部ａ１と、ボタンｃを上下方向移動可能に収納する上下両面開口のボタン収納凹部ａ２とを備える。レバーｂは、レバー収納凹部ａ１に軸支され、倒起バネｅによって付勢されており、ボタンｃは、コイルスプリングｄによって常時上方に付勢されている。そして、ボタンｃを、上方側から下方側に押圧操作することにより、ボタンｃの押圧部ｃ１が、レバー収納凹部ａ１に倒状態で収納したレバーｂの上端を下方側に押圧し、その押圧によって、レバーｂの下端側が上方側に回動し、これにより、レバーｂをケーシングａの上方側に起こし得るようにしたものである。又、レバーｂをケーシングａの上方側に起こした後は、押圧しているボタンｃの押圧を止めればコイルバネｄの付勢力によってボタンｃを上方側の元の位置に戻すようにしたものである。
【０００４】
ここで、倒起バネｅには、一般に板バネが採用され、レバーｂが所定の倒起角度から倒れた状態に近づいた際には、レバーｂを倒れる方向に付勢し、他方、同倒起角度から起きる状態に近づいた時には、レバーｂを起きる方向に付勢するようになっている。この倒起バネｅにあっては、一端ｅ１がケーシングａの底に当接し、他端ｅ２がレバーｂの下面に当接しており、倒起バネｅの両端ｅ１、ｅ２がそれぞれケーシングａとレバーｂとの間で突っ張るようにして、支持されセットされている。そのため、レバーｂの倒起によって、レバーｂ側の支持端ｅ２は、常にその位置が変化してしまう。その結果、レバーｂが動く際に、レバーｂと、倒起バネの他端ｅ２との当接が外れてしまい、倒起バネｅがケーシングａから飛び出してしまうという事故が生ずる場合がある。そのため、倒起バネの他端ｅ２には、波状の凹凸を設けて、レバーｂに食い込ませるようにして外れを防止しているものもあるが、構造上の欠陥を完全に解決するものと言えるものではなかった。
【０００５】
【特許文献１】
特開２００１−３１７２４０号公報
【０００６】
【発明が解決しようとする課題】
本願発明は、以上の実情に鑑み提案されたもので、ケーシング１と、このケーシング１の上面側に後端側を中心として回動することにより倒起可能とされたレバー２と、同じくケーシング１の上面側であってレバー２の後端側に配位されたボタン３と、レバー２に対して起きる方向と倒れる方向との少なくとも何れか一方の方向に付勢する倒起バネ５とを備え、ボタン３の操作によりレバー２を起こすようにした開閉用ハンドル装置において、倒起バネが外れるという課題を根本的に解決することを目的とするものである。
【０００７】
【課題を解決するための手段】
本願の請求項１に係る発明は、ケーシング１と、このケーシング１の上面側に後端側を中心として回動することにより倒起可能とされたレバー２と、同じくケーシング１の上面側であってレバー２の後端側に配位されたボタン３と、レバー２に対して起きる方向と倒れる方向との少なくとも何れか一方の方向に付勢する倒起バネ５とを備え、ボタン３の操作によりレバー２を起こすようにした開閉用ハンドル装置において、レバー２に倒起バネ５による付勢を受ける被付勢部２４が設けられ、ケーシング１にバネ支持部１ａ，１ｂが設けられ、このバネ支持部１ａ，１ｂは、レバー２の上記の被付勢部２４より後端側に設けられた後端側支持部１ａと、レバー２の上記の被付勢部２４より前端側に設けられた前端側支持部１ｂとの少なくとも２カ所の支持部を備え、後端側支持部１ａと前端側支持部１ｂとの間に位置する倒起バネ５が弾性変形することにより、上記レバー２の被付勢部２４が付勢されたものであることを特徴とする開閉用ハンドル装置を提供することにより上記の課題を解決する。
本願の請求項２に係る発明は、倒起バネ５が線材により構成され、上記の被付勢部２４がレバー２の素材より硬質な素材により形成されたカバー６により被覆されていることを特徴とする請求項１記載の開閉用ハンドル装置を提供する。
本願の請求項３に係る発明は、倒起バネ５が、２つの挿入端５１，５１と、それぞれの挿入端５１，５１から前後方向に伸びる変形部５２，５２と、変形部５２，５２の間を結ぶ連絡部５３とを備え、後端側支持部１ａと前端側支持部１ｂとの何れか一方１ａは、上記の２つの挿入端５１，５１がそれぞれ挿入される受容孔であることを特徴とする請求項１又は２記載の開閉用ハンドル装置を提供するものである。
本願の請求項４に係る発明は、倒起バネ５が、固定端５１と、固定端５１から前後方向に伸びる変形部５２と、変形部５２の他端側に設けられた自由端５３とを備え、後端側支持部１ａと前端側支持部１ｂとの何れか一方１ａは、上記の固定端５１を前後に移動不能に固定するものであり、何れか他方１ｂは、上記自由端５３を摺動可能に支持するものであることを特徴とする請求項１又は２記載の開閉用ハンドル装置を提供する。
【０００８】
【発明の実施の形態】
以下、図を基に本願発明の一実施形態を具体的に説明する。図１は、本願発明の一実施形態の扉開閉用ハンドル装置の平面図、図２同ハンドル装置のレバーの正面図、図３はレバーの背面図、図４はレバーの側面図である。図５は同ハンドル装置の断面図であり、図６は同ハンドル装置の倒起バネの斜視図であり、図７乃至図９は同ハンドル装置の要部拡大図である。
【０００９】
本願発明の扉開閉用ハンドル装置は、ケーシング１と、レバー２と、レバー２を操作するボタン３とを備えている。ケーシング１は、略直方体状のものから構成され、図５に示すように、上面が開放しており、上面側から下方側に窪まされた収納凹部１１が備えられている。この収納凹部１１は、底部１１ａを備えたもので、前端側（図１〜図５において左側）がレバー２を収納するためのレバー収納凹部１２をなし、後端側（図１〜図５において右側）がボタン３を収納するためのボタン収納凹部１３をなす。両収納凹部１２，１３は上面においては仕切り部１４で区分されているが、区分する必要はなく、連続して形成してもよい。
【００１０】
レバー２は、前端側に設けられた錠装置４と、後端側に設けられた軸支部２１と、さらに後端側に設けられた被操作部２２とを備える。この例では、被操作部２２は、下方に延設された延設部２３を備えるが、この延設部２３は、レバー２の倒起に伴い扉等に対する係止を行うための係止板ｋ（図１に図示）等を動かすためのもので、係止板ｋを用いずに実施する場合には必要ではない。軸支部２１は、ケーシング１に対してレバー２を回動可能に支持するものであれば足り、例えば、図示は省略するが、レバーの軸孔に軸体を回動可能に挿通したもので、軸体はケーシングの左右の側壁に設けられた軸挿通孔に両端が支持されるようにする等、その構造は適宜変更できる。レバー２は、この軸支部２１を中心に前端側が上下に回動して倒起する。
そして、図７に示すように、レバー２の軸支部２１付近には被付勢部２４が設けられ、被付勢部２４に対して後述の倒起バネ５が付勢することによって、レバー２がその弾性を受けて回動する。この例では、被付勢部２４は、レバー２の左右２カ所に対称に設けられている。
【００１１】
レバー２の前端側の施錠装置４は、鍵（図示せず）によってロック部材（図示せず）が回動し、この回動によって、ロック部材が、ケーシング１の前端側の側壁に設けられた係合部（図示せず）に係合し、レバー２が起きることができないように施錠する。この施錠装置４は必ずしも設ける必要はなく、弾性体の付勢により出没可能な突起等で、レバー２の前端側とケーシング１とを一時的に支持するものとして実施してもよい。
【００１２】
ボタン３は、図５に示すように、その上面を人の指で下方に押すことによって、レバー２を起こすものである。即ち、この上面がボタン３の操作部となる。このボタン３には、上面を押すことにより、ボタン３が所定長さ上下動作を行うようにしたもので、その際に、レバー２を起こす動作を行う動作部３１を備える。さらに、ボタン３とケーシング１との間には、ボタン３から指を離した際に、ボタン３が自動復帰するように上方へ付勢する付勢部材（復帰バネ３２）が配位されている。この例では、復帰バネ３２はコイルスプリングが用いられているが、他のバネや弾性体であってもよい。
【００１３】
より詳しくは、まず動作部３１は、ボタン３の前方側に設けられ、ボタン３の押し込みにより、レバー２の被操作部２２に力を加えて、レバー２の前端側を上方に回動させ、レバー２を起こすものである。なお、ボタン３が復帰バネ３２の付勢によってケーシング１から飛び出してしまわないように、抜け止め部を設けておくことが望ましいが、この例では、上記の仕切り部１４がその機能を果たす。即ち、仕切り部１４の下面と動作部３１とが係合することにより、ボタン３の抜けを防止している。
【００１４】
次に、レバー２の倒起を行わせるための倒起バネ５について説明する。この倒起バネ５は、レバー２の倒起動作を少ない力で行えるように、レバー２とケーシング１との間に配位して、レバー２を付勢するものである。倒起バネ５は、常時トンドルを起きる方向にのみ付勢してもよいが、回動の中間点を起立方向に過ぎると起方向に付勢し、回動の中間点を倒れる方向に過ぎると倒方向に付勢するものとして実施することが望ましい。
【００１５】
この倒起バネ５は、図６に示すように、線材（線状のバネ材）を曲げ加工して形成され、略ｕ字状をなす。詳しくは、２つの固定端５１、５１と、それぞれの固定端５１，５１から前後方向に伸びる変形部５２，５２と、変形部５２，５２の端部間を結ぶ自由端５３（端部間を結ぶという意味では連絡部５３とも言える）とを備える。より詳しくは、各固定端５１は、上下方向に伸びるもので、その上端から各変形部５２が後端方向に伸びる。各変形部５２は、最も上方に突出した頂部５２ａと、頂部５２ａから後方且つ下方に傾斜する後斜辺５２ｂと、頂部５２ａから前方且つ下方に傾斜する前斜辺５２ｃとを備える。後斜辺５２ｂと前斜辺５２ｃとのそれぞれは、必要に応じて設けられた仲介部５２ｄ，５２ｅを経て固定端５１及び自由端５３に連続する。これらの各部は一本の線材を加工して形成することができるが、適宜複数の部材を接合して形成することを妨げるものではない。また、この例では、図５、図７に示すように、固定端５１側を後端側に配位し、自由端５３側を前端側に配位しているが、前後を逆にして実施してもよい。
【００１６】
この倒起バネ５は、図７に示すように、ケーシング１に支持される。即ち、ケーシング１には、レバー２の上記の被付勢部２４を中心として、それより前端側に前端側支持部１ｂが設けられ、それより後端側に後端側支持部１ａが設けられ、前後２カ所にて倒起バネ５の支持を図る。
より詳しくは、後端側支持部１ａは、上記の２つの固定端５１，５１がそれぞれ挿入される受容孔１ａとして実施され、前端側支持部１ｂは、上記自由端５３が摺動可能に当接する平面１ｂとして実施されているが、前述のように、倒起バネ５において前後を逆にして実施した場合には、前後の支持部１ａ，１ｂも逆にして実施される。
【００１７】
受容孔１ａは、各固定端５１を挿入して前後に移動不可能に支持するもので、この実施例では、支持板７をケーシング１の底部１１ａに取り付けて、この支持板７に受容孔１ａを形成したものであるが、ケーシング１の底部１１ａに直接孔を形成してもよい。他方、自由端５３に対して摺動可能に当接する平面１ｂは、ケーシング１の底部１１ａに対して自由端５３を当接させ、変形部５２が変形する際、その変形に応じて、僅かに摺動できるよう状態で支持するものである。これにより、倒起バネ５が変形する際にも、無理な力がかからず、倒起バネ５の外れをより確実に防止できると共に、バネの寿命を伸ばすことができる。なおこの例では、底部１１ａに対して自由端５３を直接当接させたが、ケーシング１に別体の支持板を設けて、この支持板に自由端５３を当接させてもよい。
【００１８】
ここで、図７〜図９を参照して、倒起バネ５の作用について説明する。まず、図７は倒起バネ５が倒れた状態を示すもので、この状態では、レバー２の被付勢部２４が倒起バネ５の後斜面５２ｂに当接している。（なお、図７〜図９においては、倒起バネ５とレバー２の被付勢部２４との当接箇所を黒く示すに止め、倒起バネ５の弾性変形状態は図示していない。即ち、倒起バネ５は当接によって弾性変形するが、変形前の状態で描いている。）このとき、後斜面５２ｂはレバー２の軸支部２１より後方側に位置しており、この後方側から、後斜面５２ｂが上方に被付勢部２４を付勢することによって、レバー２の前端側が下方に下がるように回動する力を受ける。従って、レバー２は、倒起バネ５の付勢を受けた状態で、収納凹部１２内に納まる。
【００１９】
次に、ボタン３を押すことにより、その動作部３１がレバー２の被操作部２２に力を加えることにより、倒起バネ５の付勢に抗してレバー２の前端側を上方に回動させる。すると、レバー２の被付勢部２４も回動して、倒起バネ５の頂部５２ａに当接することとなる（図８）。これが中間点であり、この頂部５２ａが軸支部２１と前後方向において同一位置に位置することによって、レバー２はいずれにも回動しない状態となる。
【００２０】
この中間点を過ぎてさらにボタン３を押し込むと、レバー２の被付勢部２４が倒起バネ５の前斜面５２ｃに当接する。このとき、前斜面５２ｃはレバー２支部２１より前方側に位置しており、この前方側から、前斜面５２ｂが上方に被付勢部２４を付勢することによって、レバー２の前端側が上方に上がるように回動する力を受ける。従って、レバー２は、楽に起き上がることとなる。そして、図９に示すように、レバー２が大きく起き上がり、所定の角度で停止する。この停止のために、レバー２には、第２被付勢部２５が設けられている。この第２被付勢部２５は、レバー２が所定角度にまで起き上がった状態で、後斜面５２ｂに当接するもので、これにより、レバー２は、軸支部２１の前後から付勢力を受けることとなり、レバー２の回動が停止する。なお、この第２被付勢部２５は省略して実施することもできるが、その場合には、レバー２がケーシング１の適宜箇所に当たるなどして、所定の角度で停止することとなる。
【００２１】
以上のように、倒起バネ５は、レバー２が何れの角度にあっても、上方にレバー２を付勢しており、その付勢力は軸支部２１が最終的に受けることになる。そして、倒起バネ５は、軸支部２１の前と後とに位置する前後のバネ支持部１ａ，１ｂでケーシング１に支持されている。その結果、レバー２が何れの角度にあっても、倒起バネ５の弾性によって倒起バネ５のが外れてしまうことがない。このように、構造上、倒起バネ５が外れにくい構造とすることによって、倒起バネ５が外れると言った問題を根本的に解決し得たものである。また、従来の板バネによる倒起バネにあっては、複雑な動きをするために、板バネを所定の湾曲形状下にて熱処理を行い、熱処理の条件も厳しく設定する必要があったが、本願発明の場合には、その熱処理の条件が緩和され、低コストでの生産が可能となった。また、本願の倒起バネ５にあっては、受容孔に挿入部５１を固定するだけで、固定が完了するため、組付けが簡単であり生産能率も向上する。
【００２２】
なお、倒起バネ５を線材によって構成した結果、レバーが柔らかい素材（例えば鋳鉄）の場合には、線材が食い込んでしまうおそれがある。そのため、この食い込みを防止して、長期間確実な作動を実現するために、レバー２の被付勢部２４をカバー６で覆うようにしてもよい（図２〜図４参照）。このカバー６は、ステンレス等のレバー２の素材より硬質な素材により形成すればよいが、カバー６の他に、被付勢部２４を別素材で構成したりする等、適宜変更して線材の食い込みを防止すればよい。また、倒起バネ５を線材によって構成するものに限らず、同様な形態（頂部と前後の斜面とを備え、前後端がケーシングに支持される構造）を板バネ等の他の弾性体で実現することも可能である。
【００２３】
【発明の効果】
以上、本願発明は、以上の実情に鑑み提案されたもので、ケーシングと、このケーシングの上面側に後端側を中心として回動することにより倒起可能とされたレバーと、同じくケーシングの上面側であってレバーの後端側に配位されたボタンと、レバーに対して起きる方向と倒れる方向との少なくとも何れか一方の方向に付勢する倒起バネとを備え、ボタンの操作によりレバーを起こすようにした開閉用ハンドル装置において、倒起バネによるレバーの付勢構造を根本的に改めることによって、倒起バネが外れるという課題を、構造上から解消することができたものである。しかも、線材を倒起バネとして用いることによって、コストダウンを実現すると共に、線材を用いる弊害をも解消したものである。
【図面の簡単な説明】
【図１】本願発明の一実施形態の扉開閉用ハンドル装置の平面図である。
【図２】同ハンドル装置のレバーの正面図である。
【図３】レバーの背面図である。
【図４】レバーの側面図である。
【図５】同ハンドル装置の断面図である。
【図６】同ハンドル装置の倒起バネの斜視図である。
【図７】レバーが倒状態のハンドル装置の要部拡大図である。
【図８】レバーが半起立状態のハンドル装置の要部拡大図である。
【図９】レバーが起立状態のハンドル装置の要部拡大図である。
【図１０】（Ａ）は従来のハンドル装置の正面図であり、（Ｂ）は同背面図である。
【図１１】（Ａ）は従来のハンドル装置の断面図であり、（Ｂ）はレバーが起立した状態の断面図である。
【符号の説明】
１    ケーシング
２    レバー
３    ボタン
５    倒起バネ
６    カバー
１ａ  後端側支持部
１ｂ  前端側支持部
２４  被付勢部
５１  固定端
５２  変形部
５３  自由端（連絡部）
【図１】
2004308351.tif 000003
【図２】
2004308351.tif 000004
【図３】
2004308351.tif 000005
【図４】
2004308351.tif 000006
【図５】
2004308351.tif 000007
【図６】
2004308351.tif 000008
【図７】
2004308351.tif 000009
【図８】
2004308351.tif 000010
【図９】
2004308351.tif 000011
【図１０】
2004308351.tif 000012
【図１１】
2004308351.tif 000013